(57)【要約】【課題】光ディスクに記録される情報等に関する情報を印刷情報として編集することができ、一般ユーザによる光ディスクへの情報記録の普及を促進させる。【解決手段】情報記録再生装置１０Ａは、ユーザからの操作要求が入力される操作部１１４と、回転駆動部に装着された光ディスクに対して情報の記録及び／又は再生を行う記録再生部と、光ディスクの印刷可能面に対して画像や文字を含む印刷情報の印刷を行う印刷部と、光ディスクに記録される情報、あるいは光ディスクに記録された情報、あるいはこれらの情報に関する情報に基づいて印刷情報を編集し、その編集情報を補助記憶装置５４に保存する印刷情報編集部１１０と、操作部１１４を通じて入力された印刷要求に基づいて補助記憶装置５４から編集情報を読み出し、この読み出された編集情報に基づいて印刷情報を作成して印刷部２２に供給する印刷情報供給部１１２とを有する。【選択図】図８
2007073150.tif 000002
【特許請求の範囲】
【請求項１】
使用者からの操作要求が入力される操作部と、
回転駆動部に装着された光情報記録媒体に対して情報の記録及び／又は再生を行う記録再生部と、
前記光情報記録媒体の印刷可能面に対して画像や文字を含む印刷情報の印刷を行う印刷部と、
前記光情報記録媒体に記録される情報、あるいは前記光情報記録媒体に記録された情報、あるいはこれらの情報に関する情報に基づいて前記印刷情報を編集し、その編集情報をメモリに保存する印刷情報編集部と、
前記操作部を通じて入力された印刷要求に基づいて前記メモリから前記編集情報を読み出し、この読み出された前記編集情報に基づいて前記印刷情報を作成して前記印刷部に供給する印刷情報供給部とを有することを特徴とする情報記録再生装置。
【請求項２】
請求項１記載の情報記録再生装置において、
前記印刷情報供給部は、前記メモリに保存された編集情報のうち、最新の編集情報を読み出し、この読み出された前記編集情報に基づいて前記印刷情報を作成して前記印刷部に供給することを特徴とする情報記録再生装置。
【請求項３】
請求項１記載の情報記録再生装置において、
前記印刷情報編集部は、前記印刷情報の編集に先立って前記操作部を通じて入力された識別情報と編集後の前記編集情報とを対応付けて前記メモリに保存し、
前記印刷情報供給部は、前記メモリに保存された編集情報のうち、前記印刷要求に先立って前記操作部を通じて入力された識別情報に対応する編集情報を読み出し、この読み出された前記編集情報に基づいて前記印刷情報を作成して前記印刷部に供給することを特徴とする情報記録再生装置。
【請求項４】
請求項１記載の情報記録再生装置において、
前記印刷情報編集部は、前記印刷情報の編集に先立って前記記録再生部によって再生された前記光情報記録媒体の固有情報と編集後の前記編集情報とを対応付けて前記メモリに保存し、
前記印刷情報供給部は、前記メモリに保存された編集情報のうち、前記印刷要求に先立って前記記録再生部によって再生された前記光情報記録媒体の固有情報に対応する編集情報を読み出し、この読み出された前記編集情報に基づいて前記印刷情報を作成して前記印刷部に供給することを特徴とする情報記録再生装置。
【請求項５】
請求項１記載の情報記録再生装置において、
前記印刷情報編集部は、前記印刷情報の編集に先立って前記操作部を通じて入力された識別情報と編集後の前記編集情報とを対応付けて前記メモリに保存し、
前記記録再生部は、前記操作部を通じて入力された前記識別情報を前記光情報記録媒体に記録し、
前記印刷情報供給部は、前記メモリに保存された編集情報のうち、前記印刷要求に先立って前記記録再生部によって再生された識別情報に対応する編集情報を読み出し、この読み出された前記編集情報に基づいて前記印刷情報を作成して前記印刷部に供給することを特徴とする情報記録再生装置。
【請求項６】
請求項１〜３のいずれか１項に記載の情報記録再生装置において、
前記記録再生部は、第１トレイ上の前記光情報記録媒体に対して情報の記録及び／又は再生を行い、
前記印刷部は、第２トレイ上の前記光情報記録媒体の印刷可能面に対して前記印刷情報の印刷を行うことを特徴とする情報記録再生装置。
【請求項７】
請求項１〜５のいずれか１項に記載の情報記録再生装置において、
前記記録再生部は、トレイ上の前記光情報記録媒体に対して情報の記録及び／又は再生を行い、
前記印刷部は、同じく前記トレイ上の前記光情報記録媒体の印刷可能面に対して前記印刷情報の印刷を行うことを特徴とする情報記録再生装置。
【請求項８】
使用者からの操作要求が入力される操作部と、回転駆動部に装着された光情報記録媒体に対して情報の記録及び／又は再生を行う記録再生部とを有する情報記録再生装置において使用され、
前記光情報記録媒体の印刷可能面に対して画像や文字を含む印刷情報の印刷を行う情報印刷方法において、
前記光情報記録媒体に記録される情報、あるいは前記光情報記録媒体に記録された情報、あるいはこれらの情報に関する情報に基づいて前記印刷情報を編集し、その編集情報をメモリに保存し、
前記操作部を通じて入力された印刷要求に基づいて前記メモリから前記編集情報を読み出し、この読み出された前記編集情報に基づいて前記印刷情報を作成して前記光情報記録媒体に印刷することを特徴とする情報印刷方法。
【請求項９】
請求項８記載の情報印刷方法において、
前記メモリに保存された編集情報のうち、最新の編集情報を読み出し、この読み出された前記編集情報に基づいて前記印刷情報を作成して前記光情報記録媒体に印刷することを特徴とする情報印刷方法。
【請求項１０】
請求項８記載の情報印刷方法において、
前記印刷情報の編集に先立って前記操作部を通じて入力された識別情報と編集後の前記編集情報とを対応付けて前記メモリに保存し、
前記メモリに保存された編集情報のうち、前記印刷要求に先立って前記操作部を通じて入力された識別情報に対応する編集情報を読み出し、この読み出された前記編集情報に基づいて前記印刷情報を作成して前記光情報記録媒体に印刷することを特徴とする情報印刷方法。
【請求項１１】
請求項８記載の情報印刷方法において、
前記印刷情報の編集に先立って前記記録再生部によって再生された前記光情報記録媒体の固有情報と編集後の前記編集情報とを対応付けて前記メモリに保存し、
前記メモリに保存された編集情報のうち、前記印刷要求に先立って前記記録再生部によって再生された前記光情報記録媒体の固有情報に対応する編集情報を読み出し、この読み出された前記編集情報に基づいて前記印刷情報を作成して前記光情報記録媒体に印刷することを特徴とする情報印刷方法。
【請求項１２】
請求項８記載の情報印刷方法において、
前記印刷情報の編集に先立って前記操作部を通じて入力された識別情報と編集後の前記編集情報とを対応付けて前記メモリに保存し、
前記操作部を通じて入力された前記識別情報を前記光情報記録媒体に記録し、
前記メモリに保存された編集情報のうち、前記印刷要求に先立って前記記録再生部によって再生された識別情報に対応する編集情報を読み出し、この読み出された前記編集情報に基づいて前記印刷情報を作成して前記光情報記録媒体に印刷することを特徴とする情報印刷方法。
【請求項１３】
内部に情報が記録され、且つ、請求項８〜１２のいずれか１項に記載の情報印刷方法によって印刷情報が印刷された光情報記録媒体。
【発明の詳細な説明】
【技術分野】
【０００１】
本発明は、光情報記録媒体に対して例えばレーザ光を利用して情報を記録及び／又は再生を行うことができる情報記録再生装置と、情報が記録された光情報記録媒体の印刷可能面に対して印刷情報を印刷する情報印刷方法と、内部に情報が記録され、表面に印刷情報が印刷された光情報記録媒体とに関し、例えばＣＤ−Ｒ、ＣＤ＋Ｒ、ＣＤ−ＲＷ、ＣＤ＋ＲＷ、ＤＶＤ−Ｒ、ＤＶＤ＋Ｒ、ＤＶＤ−ＲＷ、ＤＶＤ＋ＲＷ、ＤＶＤ−ＲＡＭ等に用いて好適な情報記録再生装置、情報印刷方法及び光情報記録媒体に関する。
【背景技術】
【０００２】
近時、情報の書き込みが可能な光情報記録媒体、例えばＣＤ−ＲやＤＶＤ−Ｒ等に対して情報を記録した後の管理方法としては、情報を光情報記録媒体の一方の面から内部にある情報記録面に記録した後、他方の面、すなわち、印刷可能面（ラベル面）に、内部に記録した情報に関するコメントや画像を手書きやシールの貼り付けといった方法で表示し、管理するようにしていた。
【０００３】
しかし、光情報記録媒体を情報記録再生装置から取り出した後に、上述のような手書きやシールの貼り付けを行うと、１枚だけならユーザが覚えているため、正確な情報を手書き等することができるが、複数枚の光情報記録媒体に対して、手書き等をする場合、どの光情報記録媒体に何の情報が記録されているかを認識することができず、再び情報記録再生装置にセットして確認しなければならず、面倒である。
【０００４】
そこで、従来では、１つの情報記録再生装置に、情報の記録再生手段のほか、印刷手段を設け、光情報記録媒体に情報を記録した後に、印刷手段にてレーベル等を印刷する方法が提案されている（例えば特許文献１〜３）。
【０００５】
【特許文献１】特開平５−２３８００５号公報
【特許文献２】特開２０００−２２８０３６号公報
【特許文献３】特開２００４−１１０９９４号公報
【発明の開示】
【発明が解決しようとする課題】
【０００６】
本発明は、光情報記録媒体に記録される情報、あるいは光情報記録媒体に記録された情報、あるいはこれらの情報に関する情報を印刷情報として編集することができ、しかも、編集した印刷情報の光情報記録媒体への印刷を、情報の記録再生とは独立して行うことができ、一般ユーザによる光情報記録媒体への情報記録の普及を促進させることができる情報記録再生装置、情報印刷方法及び光情報記録媒体を提供することを目的とする。
【課題を解決するための手段】
【０００７】
本発明に係る情報記録再生装置は、使用者からの操作要求が入力される操作部と、回転駆動部に装着された光情報記録媒体に対して情報の記録及び／又は再生を行う記録再生部と、前記光情報記録媒体の印刷可能面に対して画像や文字を含む印刷情報の印刷を行う印刷部と、前記光情報記録媒体に記録される情報、あるいは前記光情報記録媒体に記録された情報、あるいはこれらの情報に関する情報に基づいて前記印刷情報を編集し、その編集情報をメモリに保存する印刷情報編集部と、前記操作部を通じて入力された印刷要求に基づいて前記メモリから前記編集情報を読み出し、この読み出された前記編集情報に基づいて前記印刷情報を作成して前記印刷部に供給する印刷情報供給部とを有することを特徴とする。
【０００８】
これにより、光情報記録媒体に記録される情報、あるいは光情報記録媒体に記録された情報、あるいはこれらの情報に関する情報を印刷情報として編集することができ、しかも、編集した印刷情報の光情報記録媒体への印刷を、情報の記録再生とは独立して行うことができ、一般ユーザによる光情報記録媒体への情報記録の普及を促進させることができる。
【０００９】
そして、第１の構成として、前記印刷情報供給部は、前記メモリに保存された編集情報のうち、最新の編集情報を読み出し、この読み出された前記編集情報に基づいて前記印刷情報を作成して前記印刷部に供給するようにしてもよい。
【００１０】
第２の構成として、前記印刷情報編集部は、前記印刷情報の編集に先立って前記操作部を通じて入力された識別情報と編集後の前記編集情報とを対応付けて前記メモリに保存し、前記印刷情報供給部は、前記メモリに保存された編集情報のうち、前記印刷要求に先立って前記操作部を通じて入力された識別情報に対応する編集情報を読み出し、この読み出された前記編集情報に基づいて前記印刷情報を作成して前記印刷部に供給するようにしてもよい。
【００１１】
第３の構成として、前記印刷情報編集部は、前記印刷情報の編集に先立って前記記録再生部によって再生された前記光情報記録媒体の固有情報と編集後の前記編集情報とを対応付けて前記メモリに保存し、前記印刷情報供給部は、前記メモリに保存された編集情報のうち、前記印刷要求に先立って前記記録再生部によって再生された前記光情報記録媒体の固有情報に対応する編集情報を読み出し、この読み出された前記編集情報に基づいて前記印刷情報を作成して前記印刷部に供給するようにしてもよい。
【００１２】
第４の構成として、前記印刷情報編集部は、前記印刷情報の編集に先立って前記操作部を通じて入力された識別情報と編集後の前記編集情報とを対応付けて前記メモリに保存し、前記記録再生部は、前記操作部を通じて入力された前記識別情報を前記光情報記録媒体に記録し、前記印刷情報供給部は、前記メモリに保存された編集情報のうち、前記印刷要求に先立って前記記録再生部によって再生された識別情報に対応する編集情報を読み出し、この読み出された前記編集情報に基づいて前記印刷情報を作成して前記印刷部に供給するようにしてもよい。
【００１３】
そして、上述した第１及び第２の構成においては、前記記録再生部は、第１トレイ上の前記光情報記録媒体に対して情報の記録及び／又は再生を行い、前記印刷部は、第２トレイ上の前記光情報記録媒体の印刷可能面に対して前記印刷情報の印刷を行うようにしてもよい。
【００１４】
また、上述した第１〜第４の構成においては、前記記録再生部は、トレイ上の前記光情報記録媒体に対して情報の記録及び／又は再生を行い、前記印刷部は、同じく前記トレイ上の前記光情報記録媒体の印刷可能面に対して前記印刷情報の印刷を行うようにしてもよい。
【００１５】
次に、本発明に係る情報印刷方法は、使用者からの操作要求が入力される操作部と、回転駆動部に装着された光情報記録媒体に対して情報の記録及び／又は再生を行う記録再生部とを有する情報記録再生装置において使用され、前記光情報記録媒体の印刷可能面に対して画像や文字を含む印刷情報の印刷を行う情報印刷方法において、前記光情報記録媒体に記録される情報、あるいは前記光情報記録媒体に記録された情報、あるいはこれらの情報に関する情報に基づいて前記印刷情報を編集し、その編集情報をメモリに保存し、前記操作部を通じて入力された印刷要求に基づいて前記メモリから前記編集情報を読み出し、この読み出された前記編集情報に基づいて前記印刷情報を作成して前記光情報記録媒体に印刷することを特徴とする。
【００１６】
これにより、光情報記録媒体に記録される情報、あるいは光情報記録媒体に記録された情報、あるいはこれらの情報に関する情報を印刷情報として編集することができ、しかも、編集した印刷情報の光情報記録媒体への印刷を、情報の記録再生とは独立して行うことができ、一般ユーザによる光情報記録媒体への情報記録の普及を促進させることができる。
【００１７】
そして、第１の方法として、前記メモリに保存された編集情報のうち、最新の編集情報を読み出し、この読み出された前記編集情報に基づいて前記印刷情報を作成して前記光情報記録媒体に印刷するようにしてもよい。
【００１８】
第２の方法として、前記印刷情報の編集に先立って前記操作部を通じて入力された識別情報と編集後の前記編集情報とを対応付けて前記メモリに保存し、前記メモリに保存された編集情報のうち、前記印刷要求に先立って前記操作部を通じて入力された識別情報に対応する編集情報を読み出し、この読み出された前記編集情報に基づいて前記印刷情報を作成して前記光情報記録媒体に印刷するようにしてもよい。
【００１９】
第３の方法として、前記印刷情報の編集に先立って前記記録再生部によって再生された前記光情報記録媒体の固有情報と編集後の前記編集情報とを対応付けて前記メモリに保存し、前記メモリに保存された編集情報のうち、前記印刷要求に先立って前記記録再生部によって再生された前記光情報記録媒体の固有情報に対応する編集情報を読み出し、この読み出された前記編集情報に基づいて前記印刷情報を作成して前記光情報記録媒体に印刷するようにしてもよい。
【００２０】
第４の方法として、前記印刷情報の編集に先立って前記操作部を通じて入力された識別情報と編集後の前記編集情報とを対応付けて前記メモリに保存し、前記操作部を通じて入力された前記識別情報を前記光情報記録媒体に記録し、前記メモリに保存された編集情報のうち、前記印刷要求に先立って前記記録再生部によって再生された識別情報に対応する編集情報を読み出し、この読み出された前記編集情報に基づいて前記印刷情報を作成して前記光情報記録媒体に印刷するようにしてもよい。
【００２１】
次に、本発明に係る光情報記録媒体は、内部に情報が記録され、且つ、上述した情報印刷方法に係る発明によって印刷情報が印刷されていることを特徴とする。
【００２２】
これにより、光情報記録媒体に記録される情報、あるいは光情報記録媒体に記録された情報、あるいはこれらの情報に関する情報を印刷情報として編集することができ、しかも、編集した印刷情報の光情報記録媒体への印刷を、情報の記録再生とは独立して行うことができ、一般ユーザによる光情報記録媒体への情報記録の普及を促進させることができる。
【発明の効果】
【００２３】
以上説明したように、光情報記録媒体に記録される情報、あるいは光情報記録媒体に記録された情報、あるいはこれらの情報に関する情報を印刷情報として編集することができ、しかも、編集した印刷情報の光情報記録媒体への印刷を、情報の記録再生とは独立して行うことができ、一般ユーザによる光情報記録媒体への情報記録の普及を促進させることができる。
【発明を実施するための最良の形態】
【００２４】
以下、本発明に係る情報記録再生装置、情報印刷方法及び光情報記録媒体を、例えばレーザ光を用いて情報の記録及び再生を行うことができる光情報記録媒体（光ディスク）に適用した実施の形態例（以下、単に実施の形態に係る情報記録再生装置と記す）を図１〜図３４を参照しながら説明する。
【００２５】
第１の実施の形態に係る情報記録再生装置１０Ａは、図１に示すように、筐体１２と、該筐体１２内に設置され、且つ、光ディスク１４に対して情報の記録及び／又は再生を行う記録再生部１６と、同じく筐体１２内に設置され、且つ、光ディスク１４の印刷可能面２０に対して画像や文字等の印刷情報の印刷を行う印刷部２２とを有する。
【００２６】
印刷情報としては、光ディスク１４に記録した情報のタイトル、記録日時、記録時間、画質（倍速の情報等）、放送チャンネル等の画像ソースや、代表画像のサムネイル等がある。また、印刷される画像としては、写真や絵の画像のほか、記号やバーコード等のような画像を含み、目視あるいは拡大鏡、顕微鏡等で拡大して認識できるもの全てを含む。従って、概ね１０μｍ以上のパターンを含む。
【００２７】
筐体１２の１つの側面１２ａには、第１トレイ２６が出し入れされる第１挿入口２８と第２トレイ３０が出し入れされる第２挿入口３２とが設けられている。また、筐体１２内には、第１トレイ２６を第１挿入口２８に対して出し入れ自在に移動させる第１トレイ移動機構３４と、第２トレイ３０を第２挿入口３２に対して出し入れ自在に移動させる第２トレイ移動機構３６とが設置されている。
【００２８】
記録再生部１６は、図２に示すように、スピンドルモータ３８を有し、光ディスク１４をＣＬＶ（線速度一定）方式あるいはＣＡＶ（角速度一定）方式で回転させる回転駆動部４０と、光ディスク１４の一方の面（印刷可能面２０と反対の面）に対向して配置され、光ディスク１４に対して情報の記録を行う記録ヘッド４２と、同じく光ディスク１４の一方の面に対向して配置され、光ディスク１４に記録された情報（位置情報を含む）を再生する再生ヘッド４４と、これら記録ヘッド４２及び再生ヘッド４４を光ディスク１４の径方向に移動させる記録再生ヘッド移動機構４６と、第１トレイ２６に載置された光ディスク１４をスピンドルモータ３８に保持するチャッキング機構４８と、これら回転駆動部４０、記録ヘッド４２、再生ヘッド４４、記録再生ヘッド移動機構４６、チャッキング機構４８等を制御する第１制御部５０とを有する。
【００２９】
記録再生部１６は、また、スピンドルモータ３８を光ディスク１４の一方の面に対して往復移動させるモータ移動機構５２を有する。このモータ移動機構５２は、第１制御部５０からの指令に基づいて、スピンドルモータ３８を、光ディスク１４の一方の面に対して接近する方向と離間する方向に移動させる。
【００３０】
一方、光ディスク１４に記録される情報は、例えばネットワークを通じてダウンロードしたプログラム情報、文書情報、画像情報（静止画情報、動画情報）や、他の記録媒体（例えばビデオテープ等）に記録された画像情報（静止画情報、動画情報）等であり、これらの情報は、図３に示すように、一旦、補助記憶装置５４に記録される。補助記憶装置５４としては、当該情報記録再生装置１０Ａがハードディスクを内蔵していれば、該ハードディスクを使用することができるほか、当該情報記録再生装置１０Ａに接続されるパーソナルコンピュータ（パソコン５６と記す）のハードディスク等を使用することができる。従って、記録再生部１６は、上述した構成要素のほか、補助記憶装置５４とフレームメモリ５８間のデータのやりとりを行う第１メモリ制御部６０と、フレームメモリ５８と記録ヘッド４２や再生ヘッド４４側とのデータのやりとりを行う第２メモリ制御部６２とを有する。
【００３１】
以下の説明では、光ディスク１４に画像情報（静止画情報、動画情報）を記録する場合を主体に説明を行うが、プログラム情報、文書情報等においても簡単に適用させることができる。
【００３２】
補助記憶装置５４に記録されている画像情報は、１フレーム（例えば１／６０秒）単位に第１メモリ制御部６０によって順次読み出されてフレームメモリ５８に書き込まれ、フレームメモリ５８に書き込まれた１フレーム分の画像情報は第２メモリ制御部６２によって読み出されて記録ヘッド４２へ向けて出力される。第２メモリ制御部６２によって読み出された画像情報は、途中のデータ変換部６４において光ディスク１４の記録フォーマットに合わせたデータ形態に変換されて記録ヘッド４２に供給される。もちろん、記録ヘッド４２へのデータ供給に時間がかかる場合は、フレームメモリ５８として、２つのフレームメモリを交互に書き換え読み出しを行う、いわゆるデュアルメモリを使用するようにしてもよい。
【００３３】
再生ヘッド４４は、ＣＬＶ方式あるいはＣＡＶ方式で回転している光ディスク１４に対して再生用のレーザ光を照射し、光ディスク１４から反射する例えばウォブリングされたプリグルーブからの反射光や、アドレス用プリピットからの反射光によるアドレス信号に基づいて、画像情報を記録すべき位置（記録位置）を検出する。つまり、シーク動作が行われる。
【００３４】
そして、記録ヘッド４２は、記録用のレーザ光を、供給されたデータに基づいて変調し、再生ヘッド４４にて検出された記録位置に照射する。記録ヘッド４２と再生ヘッド４４とが１つのユニットとして構成されていれば、再生ヘッド４４にて記録位置が検出された時点で記録ヘッド４２による画像情報の記録が開始される。このようにして、上述の画像情報が順次光ディスク１４に記録されていくこととなる。なお、記録ヘッド４２による記録形式としては、有機色素材料を使用した記録方式や相変化記録方式等があるが、この記録再生部１６では、いずれの記録方式も採用可能である。
【００３５】
また、再生ヘッド４４は、上述した位置検出のほか、すでに画像データが記録されている光ディスク１４から画像データを再生する。
【００３６】
再生された画像データは、第２メモリ制御部６２、フレームメモリ５８及び第１メモリ制御部６０を介して補助記憶装置５４に記録される。
【００３７】
なお、情報記録再生装置１０Ａにモニタ６６やパソコン５６が接続されている場合においては、フレームメモリ５８に記録された画像情報が順次モニタ６６やパソコン５６に供給され、モニタ６６の画面やパソコン５６に接続されているモニタ６６の画面に画像情報が表示される。つまり、光ディスク１４に記録中あるいは光ディスク１４から再生中の画像情報がモニタ６６を通じて表示されることになる。
【００３８】
さらに、図２に示すように、第１制御部５０は、ユーザの操作入力に基づいて第１トレイ移動機構３４を駆動制御し、例えば第１トレイ２６の一部を第１挿入口２８を介して筐体１２外に移動駆動して、第１トレイ２６に光ディスク１４が載置できる程度まで、第１トレイ２６を筐体１２から突出させる。また、第１制御部５０は、ユーザの操作入力に基づいて第１トレイ移動機構３４を駆動制御し、第１トレイ２６の一部を第１挿入口２８を介して筐体１２内に収容する。これにより、第１トレイ２６に光ディスク１４が載置されている場合は、光ディスク１４は完全に筐体１２内に収容される。このとき、図２に示すように、第１トレイ２６に載置された光ディスク１４の中心孔１４ａとスピンドルモータ３８の回転軸３８ａとがほぼ一致することとなる。
【００３９】
チャッキング機構４８は、スピンドルモータ３８の回転軸３８ａに設けられ、光ディスク１４の一方の面（例えば下面）の中央部分に対向する円盤状の強磁性体６８と、該強磁性体６８上に固定され、光ディスク１４の中心孔１４ａに挿入される円柱状の例えば金属製の挿入部材７０と、光ディスク１４の他方の面（例えば上面）の中央部分に対向する円盤状の例えば金属製のキャップ部材７２と、該キャップ部材７２を回転自在に支持するフック部材７４と、フック部材７４を光ディスク１４の他方の面（印刷可能面２０）に対して往復移動させるフック移動機構７６とを有する。このフック移動機構７６は、第１制御部５０からの指令に基づいて、フック部材７４及び該フック部材７４によって回転自在に支持されたキャップ部材７２を、光ディスク１４の他方の面に対して接近する方向と離間する方向に移動させる。
【００４０】
ここで、チャッキング機構４８の動作の一例について説明すると、まず、図２に示すように、第１トレイ２６の一部が筐体１２内に収容されて、第１トレイ２６に載置された光ディスク１４の中心孔１４ａの位置がスピンドルモータ３８の回転軸３８ａとほぼ一致した時点で、モータ移動機構５２によって、スピンドルモータ３８が一方向（例えば上方向）に移動し、これにより、図４に示すように、挿入部材７０が光ディスク１４の中心孔１４ａ内に挿入されると共に、強磁性体６８の一部が光ディスク１４の中心孔１４ａの周部に接して、該光ディスク１４を僅かに持ち上げる。このとき、挿入部材７０の一部が光ディスク１４の他方の面よりも上方に突出する形態となり、光ディスク１４は第１トレイ２６から離れる。
【００４１】
その後、フック移動機構７６によってフック部材７４及びキャップ部材７２が他方向（例えば下方向）に移動し、これにより、キャップ部材７２の底面が挿入部材７０の上面に接触すると共に、キャップ部材７２の側壁の端面が光ディスク１４の中心孔１４ａの周部に接する。これによって、キャップ部材７２が強磁性体６８に磁気吸引され、光ディスク１４はスピンドルモータ３８の回転軸３８ａに回転自在に保持されることになる。
【００４２】
反対に、スピンドルモータ３８への光ディスク１４の保持を解除する場合は、例えば第１制御部５０からの指令に基づいて、上述の動作とは逆の動作が行われて、光ディスク１４は再び第１トレイ２６に載置される。
【００４３】
次に、印刷部２２は、例えばインクジェット方式の印刷を想定すると、図５に示すように、印刷情報が記憶されるビデオメモリ８０と、該ビデオメモリ８０に対して印刷情報を書き込んだり、ビデオメモリ８０から順次印刷情報を読み出したりする第３メモリ制御部８２と、ビデオメモリ８０からの印刷情報を、第２トレイ３０に載置された光ディスク１４の印刷可能面２０にインクジェット方式にて印刷する印刷ヘッド８４と、該印刷ヘッド８４に対して複数のインク８６を供給するインク供給部８８と、印刷ヘッド８４をｘ軸方向（例えば第２トレイ３０の移動方向と直交する方向）に移動させる第１印刷ヘッド移動機構９０Ａと、印刷ヘッド８４をｙ軸方向（例えば第２トレイ３０の移動方向）に移動させる第２印刷ヘッド移動機構９０Ｂと、これら第３メモリ制御部８２、印刷ヘッド８４、第１印刷ヘッド移動機構９０Ａ、第２印刷ヘッド移動機構９０Ｂを制御する第２制御部９２とを有する。
【００４４】
第１印刷ヘッド移動機構９０Ａは、例えば第２トレイ３０の上方において、印刷ヘッド８４をｘ軸方向に案内する第１ガイドレール９４Ａと、印刷ヘッド８４に設けられ、且つ、該印刷ヘッド８４を自走式に第１ガイドレール９４Ａに沿って移動駆動する例えば第１ボイスコイルモータ９６Ａとを有する。
【００４５】
第２印刷ヘッド移動機構９０Ｂは、ｙ軸方向に延びる第２ガイドレール９４Ｂと第２ボイスコイルモータ９６Ｂとを有し、例えば第１印刷ヘッド移動機構９０Ａの第１ガイドレール９４Ａをｙ軸方向に移動することにより、印刷ヘッド８４をｙ軸方向に移動できるようになっている。
【００４６】
第１印刷ヘッド移動機構９０Ａと第２印刷ヘッド移動機構９０Ｂにはそれぞれ第１エンコーダ９８Ａ及び第２エンコーダ９８Ｂが取り付けられ、印刷ヘッド８４のｘ軸方向の位置とｙ軸方向の位置が第２制御部９２において電気的に認識できるようになっている。
【００４７】
この第１の実施の形態では、印刷ヘッド８４は、第１印刷ヘッド移動機構９０Ａと第２印刷ヘッド移動機構９０Ｂとによる駆動制御によって、第２トレイ３０に載置された光ディスク１４の印刷可能面２０とほぼ平行な面（ｘ軸方向とｙ軸方向で形成される面：二点鎖線１００で示す）に沿って二次元的に走査するように動くこととなる。
【００４８】
印刷ヘッド８４の走査手順は、例えば図６に示すように、まず、ｘ軸方向の正方向（図６上、右方向で示す方向）に移動させ、正方向終端に到達した段階で、ｙ軸方向に所定のピッチｔｐだけ正方向（図６上、下方向で示す方向）に移動させ、その後、ｘ軸方向の負方向（図６上、左方向で示す方向）に移動させ、その後、ｙ軸方向に所定のピッチｔｐだけ正方向（図６上、下方向で示す方向）に移動させるという処理を繰り返す。図６に示す走査手順は、あくまでも一例であり、その他の手順も考えられる。
【００４９】
印刷ヘッド８４は、図７に示すように、複数のインクジェット方式のノズル１０２が例えばマトリックス状に設けられた領域（ノズル領域１０４）を有する。特に、この例では、ノズル領域１０４の長辺１０４ａと、印刷ヘッド８４の往復回数の多いｘ軸方向とが直交するように印刷ヘッド８４が設置されることとなる。この場合、印刷のための画像処理が簡便になり、印刷速度を速めることができる。もちろん、ノズル領域１０４の長辺１０４ａとｘ軸方向とのなす角を９０°以外の角度にしてもよい。この場合、印刷の解像度が高くなることから、高精細な画像の印刷が可能になるが、印刷のための画像処理が複雑になるため、印刷速度が遅くなるおそれがある。仕様によって使い分けるようにすればよい。
【００５０】
そして、第１の実施の形態に係る情報記録再生装置１０Ａにおいては、図８に示すように、印刷情報編集部１１０と印刷情報供給部１１２とを有する。ユーザから印刷情報編集部１１０及び印刷情報供給部１１２への要求や情報提供は情報記録再生装置１０Ａに設置された操作部１１４を通じて行うことができる。操作部１１４としては、当該情報記録再生装置１０Ａに接続されたキーボードや座標入力装置（マウス）や、当該情報記録再生装置１０Ａに接続されるパソコン５６に接続されたキーボードや座標入力装置（マウス）等がある。
【００５１】
印刷情報編集部１１０は、記録再生部１６によって光ディスク１４に記録される情報、あるいは記録再生部１６によって光ディスク１４から再生された情報、あるいはこれらの情報に関する情報（例えばネットワークを通じてダウンロードした情報等）に基づいて、画像データや文字データを含む印刷情報を編集し、その編集に関する情報（編集情報）を補助記憶装置５４に保存する。
【００５２】
印刷情報供給部１１２は、この情報記録再生装置１０Ａの操作部１１４を通じて入力された印刷要求に基づいて、補助記憶装置５４から編集情報を読み出し、この読み出された編集情報に基づいて印刷情報を作成して印刷部２２に供給する。つまり、印刷情報供給部１１２は、前記印刷要求に基づいて、印刷情報をビデオメモリ８０（図５参照）に記録し、第２制御部９２を起動する。これによって、第２トレイ３０に載置されて筐体１２内に収容された光ディスク１４の印刷可能面２０に前記印刷情報が印刷されることになる。
【００５３】
ここで、印刷情報編集部１１０と印刷情報供給部１１２の具体的な機能について図９〜図２３を参照しながら説明する。
【００５４】
まず、図９に示すように、印刷部２２におけるビデオメモリ８０の最大記録領域１１６は、例えば印刷ヘッド８４の走査領域に対応した範囲とされ、例えば光ディスク１４の印刷可能面２０に対応したドーナツ状の記録領域１１８を含む。そして、印刷情報編集部１１０（図８参照）によってこのドーナツ状の記録領域１１８に記録すべき画像データや文字データが編集されて、印刷情報供給部１１２及び印刷部２２の駆動制御によって、光ディスク１４の印刷可能面２０に印刷されることとなる。
【００５５】
もちろん、記録領域１１８を無視して画像データや文字データを記録してもよいが、光ディスク１４以外の部分に対してインクが噴射され、情報記録再生装置１０Ａ自体をインクで汚すおそれがある。そこで、前記記録領域１１８以外に記録された画像データや文字データを印刷上無視する、すなわち、前記記録領域１１８以外に記録された画像データや文字データを印刷するためのインクが噴射されないようにすることが好ましい。
【００５６】
なお、ビデオメモリ８０の最大記録領域１１６のうち、画像データや文字データが記録された部分以外の領域には、印刷を行わないことを示す初期値（例えば論理値＝「０」）が記録されている。
【００５７】
印刷情報編集部１１０は、当該情報記録再生装置１０Ａに内蔵されたＣＰＵにて起動、制御されるソフトウェア、あるいは当該情報記録再生装置１０Ａに接続されたパソコン５６にて起動、制御されるソフトウェアにて構成することができ、光ディスク１４への画像情報の記録中でも印刷編集できるように、マルチタスク方式で動作するようになっている。印刷情報供給部１１２も同様である。
【００５８】
そして、印刷情報編集部１１０は、例えば図１０に示すように、画像データ登録部１２０と、文字データ登録部１２２と、画像印刷指示部１２４と、文字印刷指示部１２６と、情報テーブル管理部１２８とを有し、情報テーブル１３０が使用される。
【００５９】
情報テーブル１３０は、メインメモリ１３２の所定領域に論理的に割り付けられ、印刷情報の編集が終了した段階で、情報テーブル管理部１２８によって、補助記憶装置５４の記憶領域のうち、所定アドレスに記録されるようになっている。
【００６０】
情報テーブル１３０は、図１１に示すように、複数のレコードにて構成され、各レコードには、キャプチャした画像データに関する情報と、文字データに関する情報が登録されるようになっている。
【００６１】
画像データに関する情報は、上述した画像データの格納先頭アドレスと、画像データにおけるビデオメモリ８０上の記録アドレスと、画像データの記録範囲とを有する。
【００６２】
文字データに関する情報は、上述した文字データの格納先頭アドレスと、文字データにおけるビデオメモリ８０上の記録アドレスと、文字データの記録範囲とを有する。
【００６３】
一方、印刷情報供給部１１２は、図１２に示すように、補助記憶装置５４の記憶領域のうち、所定アドレスから情報テーブル１３０を読み出して、メインメモリ１３２に書き込むテーブル読出部１３４と、情報テーブル１３０に登録された編集情報に基づいて印刷情報（画像データや文字データ等）を作成してビデオメモリ８０に記録する印刷情報作成部１３６とを有する。
【００６４】
ここで、印刷情報編集部１１０での処理について説明する。まず、画像データ登録部１２０は、操作部１１４からのキャプチャを示す指示（キャプチャ指示）に従って、光ディスク１４に記録される画像情報あるいは他の画像情報から１以上のフレームの画像データをキャプチャし、該キャプチャした画像データの格納先頭アドレス（補助記憶装置５４のうち、キャプチャした画像データが格納されている領域の先頭アドレス）を情報テーブル１３０に登録する。
【００６５】
文字データ登録部１２２は、操作部１１４によって入力された文字データを、例えば補助記憶装置５４の特定アドレスに配置された文字データファイル１３８に登録し、さらに、入力した文字データの格納先頭アドレス（文字データファイル１３８のうち、入力された文字データが格納されている領域の先頭アドレス）を情報テーブル１３０に登録する。
【００６６】
画像印刷指示部１２４は、画像データ登録部１２０にてキャプチャされた画像データを、光ディスク１４の印刷可能面２０のうち、どの位置に印刷するか、また、画像データの拡大・縮小を指定するものであって、操作部１１４を通じて入力された座標データ等に基づいて、画像データのビデオメモリ８０上の記録アドレスと、画像データの記録範囲を計算して情報テーブル１３０に登録する。
【００６７】
文字印刷指示部１２６は、文字データ登録部１２２にて登録された文字データを、光ディスク１４の印刷可能面２０のうち、どの位置に印刷するか、また、文字データの拡大・縮小を指定するものであって、操作部１１４を通じて入力された座標データ等に基づいて、文字データのビデオメモリ８０上の記録アドレスと、文字データの記録範囲を計算して情報テーブル１３０に登録する。
【００６８】
なお、情報テーブル１３０に登録される画像データや文字データの格納先頭アドレス、ビデオメモリ８０上の記録アドレス、記録範囲等の情報を一括して言う場合は、「編集情報」と記す。
【００６９】
印刷情報編集部１１０での処理は、ＧＵＩ（グラフィカル・ユーザ・インターフェース）によって行われるようになっている。
【００７０】
例えば図１３に示すように、補助記憶装置５４に記憶された画像情報をモニタ６６の画面上に映し出しながら光ディスク１４に記録している場合においては、ユーザが気に入った画像が映し出された時点で操作部１１４を通じてキャプチャ指示（例えばマウスの左クリック等）を行う、あるいはランダムにキャプチャ指示を行うことで、画像データ登録部１２０は、キャプチャ指示を入力した時点における画像データの先頭アドレスを第１メモリ制御部６０から取得し、情報テーブル１３０に格納する。
【００７１】
あるいは、図１４に示すように、既に画像情報が記録された光ディスク１４を再生しながら、ユーザが気に入った画像が映し出された時点で操作部１１４を通じてキャプチャ指示（例えばマウスの左クリック等）を行う、あるいはランダムにキャプチャ指示を行うことで、画像データ登録部１２０は、キャプチャ指示を入力した時点における画像データの先頭アドレスを第２メモリ制御部６２から取得し、情報テーブル１３０に格納する。
【００７２】
あるいは、図１５に示すように、ユーザが、パソコン５６を使ってネットワーク１４０に接続されているＷｅｂサーバ１４２上のＷｅｂページ（ホームページを含む）を表示している場合においては、光ディスク１４に記録される画像情報に因んだ画像（参照画像）をダウンロードし、さらに、操作部１１４を通じてキャプチャ指示を行うことで、画像データ登録部１２０は、補助記憶装置５４のうち、参照画像が記録される先頭アドレスをパソコン５６から取得し、情報テーブル１３０に格納する。
【００７３】
画像データの取り込みが終了した段階で、ユーザが、例えば図１６に示すように、モニタ６６の画面上に表示されている印刷編集を示すスイッチやアイコン１４４を選択操作（例えばマウスの左クリック等）することで、画像印刷指示部１２４が起動し、まず、モニタ６６の画面上にビデオメモリ８０の記録内容が表示される。このとき、光ディスク１４の印刷可能面２０に対応したドーナツ状の記録領域１１８（図９参照）を示す２つの円１４６及び１４８を表示することが好ましい。この場合、ユーザは、どの位置に画像や文字を印刷したらよいかを一目で認識することができ、印刷した後の画像の欠けや文字の欠け等を事前に防止することができる。しかも、画像や文字の配列に関するレイアウトも簡単になり、印刷編集にかかる時間を短縮することができる。これは、ユーザに対して、印刷編集が面倒であるという先入観をなくす上でも有効である。
【００７４】
その後、モニタ６６の画面上に表示されている画像挿入を示すスイッチあるいはアイコン１５０を選択操作することで、情報テーブル１３０に登録された画像データに関する情報のみが抽出され、そのうち、登録されている格納先頭アドレスから画像データ１５２が読み出されて、モニタ６６の画面上に表示される。このとき、画像データ１５２は、モニタ６６の画面に例えば８つの画像データ１５２が表示される程度のサイズに縮小されてモニタ６６の画面上に表示される。いわゆるサムネイル方式で表示されることとなる。
【００７５】
このとき、画像印刷指示部１２４は、表示された画像データ１５２の表示位置に対応するビデオメモリ８０上の記録アドレスと記録範囲を情報テーブル１３０に登録する。
【００７６】
ユーザは、図１７に示すように、表示された画像データ１５２が光ディスク１４の印刷可能面２０に入るように、すなわち、２つの円１４６及び１４８で挟まれたドーナツ状の領域に入るように、操作部１１４を使って、例えばマウスによるドラッグ等によって、画像データ１５２の表示位置を変更したり、画像データ１５２の拡大、縮小を行うこととなる。この表示位置の変更や画像の拡大、縮小の際の操作部１１４からの座標データが画像印刷指示部１２４に供給され、供給された座標データに基づいて、画像データ１５２におけるビデオメモリ８０上の記録アドレスと、画像データ１５２の記録範囲とを計算して情報テーブル１３０に書き換え登録する。
【００７７】
また、ユーザは、画像データ１５２の印刷だけでなく、ユーザ自身が入力した文字（簡単なコメント等）を印刷したい場合もある。そこで、図１８に示すように、モニタ６６の画面上に表示されているテキスト入力のスイッチあるいはアイコン１５４を選択操作することで、文字印刷指示部１２６が起動し、モニタ６６の画面上、空いた部分にテキスト入力枠１５６が表示され、カーソル１５８がテキスト入力枠１５６内に表示されることとなる。
【００７８】
図１９に示すように、テキスト入力枠１５６内への文字入力が完了することで、文字データ１６０が文字データファイル１３８に登録され、その先頭アドレスが情報テーブル１３０に登録される。
【００７９】
その後、ユーザは、図２０に示すように、表示されている文字データ１６０が光ディスク１４の印刷可能面２０に入るように、操作部１１４を使って、例えばマウスによるドラッグ等によって、文字データ１６０の表示位置を変更したり、文字データ１６０の拡大、縮小を行うこととなる。この表示位置の変更や画像の拡大、縮小の際の操作部１１４からの座標データが文字印刷指示部１２６に供給され、供給された座標データに基づいて、文字データ１６０におけるビデオメモリ８０上の記録アドレスと、文字データ１６０の記録範囲とを計算して情報テーブル１３０に書き換え登録する。
【００８０】
文字データ１６０の入力は１回だけでもよいし、複数回でもよい。文字データ１６０の入力を２回以上行った場合は、各文字データ１６０に関する情報が情報テーブル１３０に登録される。
【００８１】
印刷すべき画像データ１５２及び文字データ１６０の編集が終了すると、情報テーブル管理部１２８は、メインメモリ１３２上の情報テーブル１３０を読み出して、補助記憶装置５４の記憶領域のうち、所定アドレスに保存する。
【００８２】
印刷情報の編集が終了した時点で、第１トレイ２６に光ディスク１４が載置されて筐体１２内に収容されている場合は、ユーザは、操作部１１４を操作して第１トレイ２６を引き出し、光ディスク１４を取り出すこととなる。この後、ユーザは、例えば第２トレイ３０に光ディスク１４を載置して筐体１２内に収容し、例えばモニタ６６の画面上に表示されている印刷を示すスイッチあるいはアイコン１６２を選択操作する（印刷要求：図２０参照）。この印刷要求の時点で、印刷情報供給部１１２での処理が開始される。もちろん、ユーザは、例えば光ディスク１４の印刷可能面２０に記録内容を簡単に記した付箋を付けて、該光ディスク１４を棚等に収容し、好きなときに再び光ディスク１４を棚から取り出して印刷を施してもよい。
【００８３】
そして、印刷情報供給部１１２のテーブル読出部１３４は、補助記憶装置５４の所定アドレスから情報テーブル１３０を読み出し、メインメモリ１３２の所定領域に書き込む。その後、印刷情報作成部１３６は、読み出された情報テーブル１３０の編集情報に基づいて印刷情報（画像データや文字データ）を作成してビデオメモリ８０に記録する。具体的には、情報テーブル１３０に画像データに関する情報が記録されていれば、各レコードに記録された画像データの格納先頭アドレスからそれぞれ画像データを読み出し、さらに、各画像データにおけるビデオメモリ８０上の記録アドレスと、各画像データの記録範囲の情報に基づいて、図２１に示すように、各画像データを拡大あるいは縮小してビデオメモリ８０に記録する。
【００８４】
さらに、情報テーブル１３０に文字データに関する情報が記録されていれば、各レコードに記録された文字データの格納先頭アドレスからそれぞれ文字データを読み出し、さらに、各文字データにおけるビデオメモリ８０上の記録アドレスと、各文字データの記録範囲の情報に基づいて、図２２に示すように、各文字データを拡大あるいは縮小してビデオメモリ８０に記録する。
【００８５】
なお、図２２に示すように、ビデオメモリ８０に記録された画像データ１５２や文字データ１６０を、モニタ６６に表示するようにしてもよい。このとき、光ディスク１４の印刷可能面２０に対応したドーナツ状の記録領域１１８（図９参照）を示す２つの円１４６及び１４８を表示してもよい。
【００８６】
その後、印刷情報供給部１１２は、印刷部２２の第２制御部９２（図５参照）を起動し、印刷部２２による光ディスク１４への印刷処理が開始される。すなわち、第２制御部９２は、第１印刷ヘッド移動機構９０Ａ及び第２印刷ヘッド移動機構９０Ｂをそれぞれ駆動制御して、例えば図６に示すように、印刷ヘッド８４をｘ方向とｙ方向に二次元走査させることによって、図２３に示すように、光ディスク１４の印刷可能面２０に、ユーザが編集した画像データ１５２や文字データ１６０が印刷されることとなる。
【００８７】
この第１の実施の形態では、補助記憶装置５４に１つの情報テーブル１３０を記憶しているため、この情報テーブル１３０には、最新の編集情報が登録されるようになっている。
【００８８】
なお、印刷ヘッド８４の走査範囲（物理領域）とビデオメモリ８０の記録領域（論理領域）がほぼ一致しているため、印刷に関するインターロック（光ディスク１４の印刷可能面２０以外を印刷しない処理）を採用していなければ、ビデオメモリ８０の最大記録領域１１６（図９参照）に記録されたデータがそのまま印刷ヘッド８４を通じて出力されることになる。
【００８９】
しかし、この第１の実施の形態では、後述するように、印刷に関するインターロックを採用しているため、ビデオメモリ８０の最大記録領域１１６のうち、光ディスク１４の印刷可能面２０に対応する記録領域１１８（図９参照）に記録された画像データや文字データが印刷ヘッド８４によって光ディスク１４の印刷可能面２０に印刷される。
【００９０】
図５に示すように、第３メモリ制御部８２は、第２制御部９２からの制御に従って、この印刷ヘッド８４の移動に合わせて、且つ、ビデオメモリ８０の最大記録領域１１６のうち、印刷ヘッド８４の位置に対応したアドレスから順次データ（初期値「０」、画像データ、文字データを含む）を読み出して印刷ヘッド８４に供給する。印刷ヘッド８４に供給されたデータが、初期値であれば、印刷は行わず、画像データ１５２や文字データ１６０であれば、画像データ１５２や文字データ１６０に応じたインクを噴射する。
【００９１】
また、第２制御部９２は、印刷ヘッド８４の移動に伴って第１エンコーダ９８Ａ及び第２エンコーダ９８Ｂから出力される位置信号（ｘ座標データ及びｙ座標データ）を受け取り、印刷ヘッド８４が光ディスク１４の印刷可能面２０上にあるか否かを判別する。この判別は、例えば光ディスク１４の印刷可能面２０に対応したｘ座標の範囲（ｘ座標の印刷可能範囲）とｙ座標の範囲（ｙ座標の印刷可能範囲）が登録されたテーブル（座標情報テーブル）を用意しておき、印刷ヘッド８４の現在の座標（ｘ座標データ及びｙ座標データ）がそれぞれｘ座標の印刷可能範囲及びｙ座標の印刷可能範囲に入っているか否かで行うことができる。
【００９２】
そして、第２制御部９２による印刷に関するインターロックは、第３メモリ制御部８２から印刷ヘッド８４に対して画像データ１５２や文字データ１６０が供給された時点での印刷ヘッド８４の位置が印刷可能面２０にある場合は、供給された画像データ１５２や文字データ１６０に応じたインクを光ディスク１４に対して噴射する。一方、印刷ヘッド８４に対して画像データ１５２や文字データ１６０が供給された時点での印刷ヘッド８４の位置が印刷可能面２０にない場合は、インクの噴射を行わないように制御する。
【００９３】
このインターロックによって、光ディスク１４以外の部分に対してインクが噴射されてしまうという不都合を回避することができ、情報記録再生装置１０Ａ自体をインクで汚すということがなくなる。
【００９４】
上述の例では、印刷ヘッド８４の位置が光ディスク１４の印刷可能面２０に対応した位置であるかどうかを座標情報テーブルにて確認しながら、光ディスク１４の印刷可能面２０に対して画像データ１５２や文字データ１６０を印刷するようにしたが、いちいち印刷ヘッド８４の位置を確認せずに、光ディスク１４の印刷可能面２０に対して画像データ１５２や文字データ１６０を印刷することも可能である。これは、印刷情報編集部１１０での処理、特に、図１６〜図２０に示す画像データ１５２や文字データ１６０の配置処理において、光ディスク１４の印刷可能面２０に対応したドーナツ状の記録領域１１８（図９参照）のみに画像データ１５２や文字データ１６０を記録できるようにし、記録領域１１８以外の領域には画像データ１５２や文字データ１６０を記録できないようにすればよい。
【００９５】
このように、第１の実施の形態に係る情報記録再生装置１０Ａは、印刷情報編集部１１０において、光ディスク１４に記録される情報、あるいは光ディスク１４に記録された情報、あるいはこれらの情報に関する情報に基づいて印刷情報を編集して、その編集情報を情報テーブル１３０に登録するようにし、さらに、印刷情報供給部１１２において、操作部１１４を通じて入力された印刷要求に基づいて、情報テーブル１３０から前記編集情報を読み出し、この読み出された前記編集情報に基づいて前記印刷情報を作成して印刷部２２に供給するようにしている。
【００９６】
特に、情報テーブル１３０には、最新の編集情報が登録されていることから、光ディスク１４には、最新の編集情報に基づいて作成された印刷情報が印刷されることになる。
【００９７】
従って、この第１の実施の形態に係る情報記録再生装置１０Ａにおいては、光ディスク１４に記録される情報、あるいは光ディスク１４に記録された情報、あるいはこれらの情報に関する情報を印刷情報として編集することができ、しかも、編集した印刷情報の光ディスク１４への印刷を、情報の記録再生とは独立して行うことができ、一般ユーザによる光ディスク１４への情報記録の普及を促進させることができる。
【００９８】
次に、第２の実施の形態に係る情報記録再生装置１０Ｂについて図２４及び図２５を参照しながら説明する。
【００９９】
この第２の実施の形態に係る情報記録再生装置１０Ｂは、図２４に示すように、上述した第１の実施の形態に係る情報記録再生装置１０Ａとほぼ同様の構成を有するが、印刷情報編集部１１０の情報テーブル管理部１２８及び印刷情報供給部１１２のテーブル読出部１３４の構成が一部異なる。
【０１００】
すなわち、この第２の実施の形態では、印刷情報編集部１１０は、印刷情報の編集に先立って操作部１１４を通じて入力された識別情報と編集後の情報テーブル１３０とを対応付けて補助記憶装置５４に保存する。印刷情報供給部１１２は、補助記憶装置５４に保存された複数の情報テーブル１３０のうち、印刷要求に先立って操作部１１４を通じて入力された識別情報に対応する情報テーブル１３０を読み出し、この読み出された情報テーブル１３０の編集情報に基づいて印刷情報を作成して印刷部２２に供給する。
【０１０１】
具体的には、図２４に示すように、印刷情報編集部１１０の情報テーブル管理部１２８は、第１識別情報受取部１７０を有する。この第１識別情報受取部１７０は、印刷情報の編集に先立ってユーザが操作部１１４を通じて入力した識別情報を例えばメインメモリ１３２の所定領域に記憶する。
【０１０２】
そして、情報テーブル管理部１２８は、入力された識別情報と、補助記憶装置５４の記憶領域のうち、該識別情報に対応する情報テーブル１３０の格納先頭アドレスとを対応させた第１格納情報テーブル１７２を作成し、補助記憶装置５４の記憶領域の所定アドレスに保存する。
【０１０３】
また、情報テーブル管理部１２８は、メインメモリ１３２上に１つの情報テーブル１３０を論理的に割り付け、印刷情報の編集時に、編集情報をこの情報テーブル１３０に登録できるようにする。そして、編集が終了した段階で、補助記憶装置５４の記憶領域のうち、入力された識別情報に対応する格納先頭アドレスに今回の編集対象となった情報テーブル１３０（メインメモリ１３２上の編集済みの情報テーブル１３０）を保存する。
【０１０４】
印刷情報編集部１１０の画像データ登録部１２０と、文字データ登録部１２２と、画像印刷指示部１２４と、文字印刷指示部１２６の各処理は、上述した第１の実施の形態に係る情報記録再生装置１０Ａと同じであるため、ここでは、その重複説明を省略する。
【０１０５】
一方、図２５に示すように、印刷情報供給部１１２のテーブル読出部１３４は、第２識別情報受取部１７４を有する。この第２識別情報受取部１７４は、ユーザによる印刷要求に先立ってユーザが操作部１１４を通じて入力した識別情報を例えばメインメモリ１３２の所定領域に記憶する。
【０１０６】
そして、テーブル読出部１３４は、補助記憶装置５４から第１格納情報テーブル１７２を読み出し、この第１格納情報テーブル１７２に基づいて、入力された識別情報に対応する情報テーブル１３０の格納先頭アドレスを割り出し、補助記憶装置５４の記憶領域のうち、割り出した格納先頭アドレスから情報テーブル１３０を読み出して、メインメモリ１３２に書き込む。
【０１０７】
印刷情報供給部１１２の印刷情報作成部１３６での処理は、上述した第１の実施の形態に係る情報記録再生装置１０Ａと同じであるため、ここでは、その重複説明を省略する。
【０１０８】
この第２の実施の形態に係る情報記録再生装置１０Ｂの使用形態としては、第１の実施の形態と同様に、第１トレイ２６に載置されて筐体１２内に収容された光ディスク１４に対して情報の記録及び／又は再生を行った後に、第１トレイ２６を引き出して光ディスク１４を取り出し、その後、当該光ディスク１４を第２トレイ３０に載置して筐体１２内に収容して印刷を行うようにしてもよい。
【０１０９】
特に、複数の情報テーブル１３０が識別情報単位に管理されているため、その他の使用形態としては、例えば印刷情報の編集を終えた光ディスク１４の印刷可能面２０に付箋（例えば編集に先立って入力した識別情報が記載されている）を付けて、該光ディスク１４を棚等に収容し、好きなときに再び光ディスク１４を棚から取り出し、識別情報を入力して印刷を施すようにしてもよい。もちろん、複数の光ディスク１４についてそれぞれ識別情報を指定しながら印刷情報を編集しておき、その後、各光ディスク１４について識別情報を入力しながら印刷するようにしてもよい。
【０１１０】
このように、第２の実施の形態に係る情報記録再生装置１０Ｂでは、第１の実施の形態の場合よりも様々な使用形態が考えられ、使い勝手がよいものとなっている。従って、一般ユーザによる光ディスク１４への情報記録の普及をさらに促進させることができる。
【０１１１】
次に、第３の実施の形態に係る情報記録再生装置１０Ｃについて図２６〜図３２を参照しながら説明する。
【０１１２】
この第３の実施の形態に係る情報記録再生装置１０Ｃは、図２６に示すように、上述した第１の実施の形態に係る情報記録再生装置１０Ａとほぼ同様の構成を有するが、筐体１２に１つのトレイ１８０が出し入れされる１つの挿入口１８２が形成されている点と、記録再生部１６が、トレイ１８０上の光ディスク１４に対して情報の記録及び／又は再生を行い、印刷部２２が、同じくトレイ１８０上の光ディスク１４の印刷可能面２０に対して印刷情報の印刷を行う点で異なる。
【０１１３】
また、筐体１２内には、トレイ１８０を挿入口１８２に対して出し入れ自在に移動させるトレイ移動機構１８４が設置されている。
【０１１４】
さらに、図２に示すように、第１制御部５０は、ユーザの操作入力に基づいてトレイ移動機構１８４を駆動制御し、例えばトレイ１８０の一部を挿入口１８２を介して筐体１２外に移動駆動して、トレイ１８０に光ディスク１４が載置できる程度まで、トレイ１８０を筐体１２から突出させる。また、第１制御部５０は、ユーザの操作入力に基づいてトレイ移動機構１８４を駆動制御し、トレイ１８０の一部を挿入口１８２を介して筐体１２内に収容する。
【０１１５】
記録再生部１６のスピンドルモータ３８、回転駆動部４０、記録ヘッド４２、再生ヘッド４４、記録再生ヘッド移動機構４６、チャッキング機構４８等の動作は、第１の実施の形態に係る情報記録再生装置１０Ａと同様であるため、その重複説明を省略する。
【０１１６】
次に、印刷部２２は、図２８に示すように、第１の実施の形態と同様に、ビデオメモリ８０と、第３メモリ制御部８２と、印刷ヘッド８４と、インク供給部８８と、印刷ヘッド８４を所定方向（ｘ軸方向）に移動駆動する印刷ヘッド移動機構９０と、第２制御部９２とを有する。
【０１１７】
印刷ヘッド移動機構９０は、印刷ヘッド８４をｘ軸方向に案内するガイドレール９４と、印刷ヘッド８４に設けられ、且つ、該印刷ヘッド８４を自走式にガイドレール９４に沿って移動駆動する例えばボイスコイルモータ９６とを有する。
【０１１８】
また、トレイ移動機構１８４と印刷ヘッド移動機構９０には第３エンコーダ１８６及び第４エンコーダ１８８が取り付けられ、印刷ヘッド８４のｘ軸方向の位置とｙ軸方向の位置が第２制御部９２において電気的に認識できるようになっている。
【０１１９】
ここで、印刷部２２、スピンドルモータ３８、記録ヘッド４２及び再生ヘッド４４の位置関係、特に、印刷部２２、スピンドルモータ３８、記録ヘッド４２及び再生ヘッド４４を上面から見たときの位置関係について図２９を参照しながら説明する。
【０１２０】
まず、印刷部２２の例えばガイドレール９４の配置位置は、筐体１２の挿入口１８２の配置位置Ｐ１とスピンドルモータ３８の配置位置Ｐ２との間の領域に存在することが好ましい。
【０１２１】
記録ヘッド４２及び再生ヘッド４４は、以下の条件を満足するように設置することが好ましい。すなわち、スピンドルモータ３８の配置位置Ｐ２から印刷部２２の例えばガイドレール９４の配置位置Ｐ３までの距離をＬａ、記録ヘッド４２及び再生ヘッド４４の配置位置Ｐ４からガイドレール９４の配置位置Ｐ３までの距離をＬｂとしたとき、Ｌｂ≧Ｌａを満足するように記録ヘッド４２及び再生ヘッド４４を設置することが好ましい。
【０１２２】
さらに、図２８に示すように、この第３の実施の形態では、印刷ヘッド８４は、トレイ移動機構１８４と印刷ヘッド移動機構９０とによる駆動制御によって、光ディスク１４の印刷可能面２０とほぼ平行な面１００（ｘ軸方向とｙ軸方向で形成される面：二点鎖線で示す）に沿って二次元的に走査するように動くこととなる。この第３の実施の形態では、図３０に示すように、トレイ移動機構１８４（図２８参照）によって、例えば光ディスク１４が載置されたトレイ１８０の一部が挿入口１８２から出る方向に移動する際に、ボイスコイルモータ９６によって印刷ヘッド８４がガイドレール９４に沿ってｘ軸方向について多数回の往復が行われることにより、光ディスク１４の印刷可能面２０に対する印刷ヘッド８４の二次元走査が行われることとなる。
【０１２３】
そして、この第３の実施の形態に係る情報記録再生装置１０Ｃにおいても、図３１及び図３２に示すように、印刷情報編集部１１０と印刷情報供給部１１２とを有する。
【０１２４】
印刷情報編集部１１０は、印刷情報の編集に先立って記録再生部１６によって再生された光ディスクの固有情報（光ディスク１４の製造時に光ディスク１４に記録される製造番号や識別番号等の光ディスク１４固有の情報）と編集後の情報テーブル１３０とを対応付けて補助記憶装置５４に保存する。印刷情報供給部１１２は、補助記憶装置５４に保存された複数の情報テーブル１３０のうち、印刷要求に先立って記録再生部１６によって再生された光ディスク１４の固有情報に対応する情報テーブル１３０を読み出し、この読み出された情報テーブル１３０の編集情報に基づいて印刷情報を作成して印刷部２２に供給する。
【０１２５】
具体的には、図３１に示すように、印刷情報編集部１１０の情報テーブル管理部１２８は、第１固有情報受取部１９０を有する。この第１固有情報受取部１９０は、印刷情報の編集に先立って記録再生部１６によって再生された固有情報を例えばメインメモリ１３２の所定領域に記憶する。
【０１２６】
そして、情報テーブル管理部１２８は、メインメモリ１３２に記憶された固有情報と、補助記憶装置５４の記憶領域のうち、該固有情報に対応する情報テーブル１３０の格納先頭アドレスとを対応させた第２格納情報テーブル１９２を作成し、補助記憶装置５４の記憶領域の所定アドレスに保存する。
【０１２７】
また、情報テーブル管理部１２８は、メインメモリ１３２上に１つの情報テーブル１３０を論理的に割り付け、印刷情報の編集時に、編集情報をこの情報テーブル１３０に登録できるようにする。そして、編集が終了した段階で、補助記憶装置５４の記憶領域のうち、印刷情報の編集を終えた固有情報に対応する格納先頭アドレスに今回の編集対象となった情報テーブル１３０（メインメモリ１３２上の編集済みの情報テーブル１３０）を保存する。
【０１２８】
印刷情報編集部１１０の画像データ登録部１２０と、文字データ登録部１２２と、画像印刷指示部１２４と、文字印刷指示部１２６の各処理は、上述した第１の実施の形態に係る情報記録再生装置１０Ａと同じであるため、ここでは、その重複説明を省略する。
【０１２９】
一方、図３２に示すように、印刷情報供給部１１２のテーブル読出部１３４は、第２固有情報受取部１９４を有する。この第２固有情報受取部１９４は、印刷要求に先立って記録再生部１６によって再生された光ディスク１４の固有情報を例えばメインメモリ１３２の所定領域に記憶する。
【０１３０】
そして、テーブル読出部１３４は、補助記憶装置５４から第２格納情報テーブル１９２を読み出し、この第２格納情報テーブル１９２に基づいて、再生された固有情報に対応する情報テーブル１３０の格納先頭アドレスを割り出し、補助記憶装置５４の記憶領域のうち、割り出した格納先頭アドレスから情報テーブル１３０を読み出して、メインメモリ１３２に書き込む。
【０１３１】
印刷情報供給部１１２の印刷情報作成部１３６での処理は、上述した第１の実施の形態に係る情報記録再生装置１０Ａと同じであるため、ここでは、その重複説明を省略する。
【０１３２】
この第３の実施の形態に係る情報記録再生装置１０Ｃの使用形態としては、複数の情報テーブル１３０が固有情報単位に管理されているため、例えば印刷情報の編集を終えた１つの光ディスク１４あるいは複数の光ディスク１４にマークや付箋等を付けずにそのまま棚等に収容し、好きなときに再び１つの光ディスク１４あるいは複数の光ディスク１４を棚から取り出し、情報記録再生装置１０Ｃに収容して印刷を施すようにしてもよい。この場合、各光ディスク１４について自動的に固有情報が読み出され、それぞれ固有情報に対応した情報テーブル１３０に基づいて印刷情報が作成されて、対応する光ディスク１４に印刷されることになる。
【０１３３】
このように、第３の実施の形態に係る情報記録再生装置１０Ｃでは、印刷時に光ディスク１４の識別情報等を入力する必要がないため、第１の実施の形態や第２の実施の形態の場合よりも様々な使用形態が考えられ、使い勝手がよいものとなっている。従って、一般ユーザによる光ディスク１４への情報記録の普及をさらに促進させることができる。
【０１３４】
次に、第４の実施の形態に係る情報記録再生装置１０Ｄについて図３３及び図３４を参照しながら説明する。
【０１３５】
この第４の実施の形態に係る情報記録再生装置１０Ｄは、図３３に示すように、上述した第３の実施の形態に係る情報記録再生装置１０Ｃとほぼ同様の構成を有するが、印刷情報編集部１１０の情報テーブル管理部１２８及び印刷情報供給部１１２のテーブル読出部１３４の構成が一部異なる。
【０１３６】
すなわち、この第４の実施の形態では、印刷情報編集部１１０は、印刷情報の編集に先立って操作部１１４を通じて入力された識別情報と編集後の情報テーブル１３０とを対応付けて補助記憶装置５４に保存する。記録再生部１６は、印刷情報の編集時に筐体内に収容されている光ディスク１４の所定領域に前記識別情報を記録する。印刷情報供給部１１２は、補助記憶装置５４に保存された複数の情報テーブル１３０のうち、印刷要求に先立って記録再生部１６によって再生された光ディスク１４の識別情報に対応する情報テーブル１３０を読み出し、この読み出された情報テーブル１３０の編集情報に基づいて印刷情報を作成して印刷部２２に供給する。
【０１３７】
具体的には、図３３に示すように、印刷情報編集部１１０の情報テーブル管理部１２８は、第３識別情報受取部１９６を有する。この第３識別情報受取部１９６は、印刷情報の編集に先立ってユーザが操作部１１４を通じて入力した識別情報を例えばメインメモリ１３２の所定領域に記憶する。その後、第３識別情報受取部は、第１制御部に記録指示を出力すると共に、記録再生部に入力された識別情報と記録すべきアドレス（記録アドレス）を供給する。記録再生部１６は、第１制御部５０からの制御に基づいて駆動制御され、トレイ１８０に載置されている光ディスク１４の前記記録アドレスに前記識別情報を記録する。
【０１３８】
そして、情報テーブル管理部１２８は、入力された識別情報と、補助記憶装置５４の記憶領域のうち、該識別情報に対応する情報テーブル１３０の格納先頭アドレスとを対応させた第３格納情報テーブル１９８を作成し、補助記憶装置５４の記憶領域の所定アドレスに保存する。
【０１３９】
また、情報テーブル管理部１２８は、メインメモリ１３２上に１つの情報テーブル１３０を論理的に割り付け、印刷情報の編集時に、編集情報をこの情報テーブル１３０に登録できるようにする。そして、編集が終了した段階で、補助記憶装置５４の記憶領域のうち、入力された識別情報に対応する格納先頭アドレスに今回の編集対象となった情報テーブル１３０（メインメモリ１３２上の編集済みの情報テーブル１３０）を保存する。
【０１４０】
印刷情報編集部の画像データ登録部１２０と、文字データ登録部１２２と、画像印刷指示部１２４と、文字印刷指示部１２６の各処理は、上述した第１の実施の形態に係る情報記録再生装置１０Ａと同じであるため、ここでは、その重複説明を省略する。
【０１４１】
一方、図３４に示すように、印刷情報供給部１１２のテーブル読出部１３４は、第４識別情報受取部２００を有する。この第４識別情報受取部２００は、ユーザによる印刷要求に先立って記録再生部１６によって再生された光ディスク１４の識別情報を例えばメインメモリ１３２の所定領域に記憶する。
【０１４２】
そして、テーブル読出部１３４は、補助記憶装置５４から第３格納情報テーブル１９８を読み出し、この第３格納情報テーブル１９８に基づいて、再生された前記識別情報に対応する情報テーブル１３０の格納先頭アドレスを割り出し、補助記憶装置５４の記憶領域のうち、割り出した格納先頭アドレスから情報テーブル１３０を読み出して、メインメモリ１３２に書き込む。
【０１４３】
印刷情報供給部１１２の印刷情報作成部１３６での処理は、上述した第１の実施の形態に係る情報記録再生装置１０Ａと同じであるため、ここでは、その重複説明を省略する。
【０１４４】
この第４の実施の形態に係る情報記録再生装置１０Ｄの使用形態としては、複数の情報テーブル１３０が識別情報単位に管理されているため、例えば印刷情報の編集を終えた１つの光ディスク１４あるいは複数の光ディスク１４の印刷可能面に付箋（例えば編集に先立って入力した識別情報が記載されている）を付けて、該光ディスク１４を棚等に収容し、好きなときに再び１つの光ディスク１４あるいは複数の光ディスク１４を棚から取り出し、情報記録再生装置１０Ｃに収容して印刷を施すようにしてもよい。この場合、各光ディスク１４について自動的に識別情報が読み出され、それぞれ識別情報に対応した情報テーブル１３０に基づいて印刷情報が作成されて、対応する光ディスク１４に印刷されることになる。
【０１４５】
このように、第４の実施の形態に係る情報記録再生装置１０Ｄにおいても、印刷時に光ディスク１４の識別情報等を入力する必要がないため、第１の実施の形態や第２の実施の形態の場合よりも様々な使用形態が考えられ、使い勝手がよいものとなっている。従って、一般ユーザによる光ディスク１４への情報記録の普及をさらに促進させることができる。
【０１４６】
なお、本発明に係る情報記録再生装置、情報印刷方法及び光情報記録媒体は、上述の実施の形態に限らず、本発明の要旨を逸脱することなく、種々の構成を採り得ることはもちろんである。
【図面の簡単な説明】
【０１４７】
【図１】第１の実施の形態に係る情報記録再生装置を示す構成図である。
【図２】第１の実施の形態に係る情報記録再生装置において、記録再生部を駆動位置に設定した状態を示す構成図である。
【図３】記録ヘッドに対するデータの流れ、再生ヘッドからのデータの流れの一例を示す構成図である。
【図４】第１の実施の形態に係る情報記録再生装置において、光ディスクをチャッキング機構にてスピンドルモータに保持した状態を示す構成図である。
【図５】第１の実施の形態に係る情報記録再生装置の印刷部を示す構成図である。
【図６】印刷ヘッドの走査手順の一例を示す説明図である。
【図７】印刷ヘッドの好ましい設置例を示す説明図である。
【図８】第１の実施の形態に係る情報記録再生装置の印刷情報編集部及び印刷情報供給部を示す機能ブロック図である。
【図９】ビデオメモリの記録領域を示す説明図である。
【図１０】第１の実施の形態に係る情報記録再生装置の印刷情報編集部の構成を示す機能ブロック図である。
【図１１】情報テーブルの内訳を示す説明図である。
【図１２】第１の実施の形態に係る情報記録再生装置の印刷情報供給部の構成を示す機能ブロック図である。
【図１３】画像データ登録部での処理の一例を示す説明図である。
【図１４】画像データ登録部での処理の他の例を示す説明図である。
【図１５】画像データ登録部での処理のさらに他の例を示す説明図である。
【図１６】モニタの画面上に画像データをサムネイル方式で表示した状態を示す説明図である。
【図１７】モニタの画面上に表示された画像データを移動、拡大、縮小している状態を示す説明図である。
【図１８】モニタの画面上にテキスト入力枠とカーソルを表示した状態を示す説明図である。
【図１９】テキスト入力枠内に文字データを入力した状態を示す説明図である。
【図２０】モニタの画面上に表示された文字データを移動、縮小している状態を示す説明図である。
【図２１】ビデオメモリの記録領域への画像データと文字データの記録状態を示す説明図である。
【図２２】印刷情報供給部によってビデオメモリに画像データ及び文字データが記録される様子をモニタにて表示して示す説明図である。
【図２３】光ディスクの印刷可能面にユーザが編集した画像データや文字データが印刷された状態を示す斜視図である。
【図２４】第２の実施の形態に係る情報記録再生装置の印刷情報編集部の構成を示す機能ブロック図である。
【図２５】第２の実施の形態に係る情報記録再生装置の印刷情報供給部の構成を示す機能ブロック図である。
【図２６】第３の実施の形態に係る情報記録再生装置の一部を示す斜視図である。
【図２７】第３の実施の形態に係る情報記録再生装置を示す構成図である。
【図２８】第３の実施の形態に係る情報記録再生装置の印刷部を示す構成図である。
【図２９】印刷部、スピンドルモータ、記録ヘッド及び再生ヘッドの位置関係を示す説明図である。
【図３０】トレイ移動機構と印刷ヘッド移動機構による印刷ヘッドの二次元走査を示す説明図である。
【図３１】第３の実施の形態に係る情報記録再生装置の印刷情報編集部の構成を示す機能ブロック図である。
【図３２】第３の実施の形態に係る情報記録再生装置の印刷情報供給部の構成を示す機能ブロック図である。
【図３３】第４の実施の形態に係る情報記録再生装置の印刷情報編集部の構成を示す機能ブロック図である。
【図３４】第４の実施の形態に係る情報記録再生装置の印刷情報供給部の構成を示す機能ブロック図である。
【符号の説明】
【０１４８】
１０Ａ〜１０Ｄ…情報記録再生装置        １２…筐体
１４…光ディスク                        １６…記録再生部
２０…印刷可能面                        ２２…印刷部
２６…第１トレイ                        ３０…第２トレイ
４０…回転駆動部                        ５４…補助記憶装置
６６…モニタ                            ８０…ビデオメモリ
８４…印刷ヘッド                        １１０…印刷情報編集部
１１２…印刷情報供給部                  １１４…操作部
１２０…画像データ登録部                １２２…文字データ登録部
１２４…画像印刷指示部                  １２６…文字印刷指示部
１２８…情報テーブル管理部              １３０…情報テーブル
１３４…テーブル読出部                  １３６…印刷情報作成部
１６０…文字データ                      １７０…第１識別情報受取部
１７２…第１格納情報テーブル            １７４…第２識別情報受取部
１８０…トレイ                          １９０…第１固有情報受取部
１９２…第２格納情報テーブル            １９４…第２固有情報受取部
１９６…第３識別情報受取部              １９８…第３格納情報テーブル
２００…第４識別情報受取部
【図１】
2007073150.tif 000003
【図２】
2007073150.tif 000004
【図３】
2007073150.tif 000005
【図４】
2007073150.tif 000006
【図５】
2007073150.tif 000007
【図６】
2007073150.tif 000008
【図７】
2007073150.tif 000009
【図８】
2007073150.tif 000010
【図９】
2007073150.tif 000011
【図１０】
2007073150.tif 000012
【図１１】
2007073150.tif 000013
【図１２】
2007073150.tif 000014
【図１３】
2007073150.tif 000015
【図１４】
2007073150.tif 000016
【図１５】
2007073150.tif 000017
【図１６】
2007073150.tif 000018
【図１７】
2007073150.tif 000019
【図１８】
2007073150.tif 000020
【図１９】
2007073150.tif 000021
【図２０】
2007073150.tif 000022
【図２１】
2007073150.tif 000023
【図２２】
2007073150.tif 000024
【図２３】
2007073150.tif 000025
【図２４】
2007073150.tif 000026
【図２５】
2007073150.tif 000027
【図２６】
2007073150.tif 000028
【図２７】
2007073150.tif 000029
【図２８】
2007073150.tif 000030
【図２９】
2007073150.tif 000031
【図３０】
2007073150.tif 000032
【図３１】
2007073150.tif 000033
【図３２】
2007073150.tif 000034
【図３３】
2007073150.tif 000035
【図３４】
2007073150.tif 000036